(57)【特許請求の範囲】
【請求項１】
電気的な画像データとして記録媒体に記録された画像を表示部に再生表示する画像再生装置であって、
前記記録媒体に記録された画像を前記表示部に再生表示中に、予め決められたショートカットキーにより、前記記録媒体に記録された画像を所定順に自動的に切替えながら表示するスライドショーの開始を指示する第１指示手段と、
前記記録媒体に記録された画像を前記表示部に再生表示中に、メニュー画面を表示させ、該メニュー画面から前記スライドショーの開始を指示する第２指示手段と、
前記第１指示手段により指示された場合には、前記再生表示中の画像に応じて前記スライドショーを開始する開始画像を決定し、前記第２指示手段により指示された場合には、前記再生表示中の画像に関係しない予め決められた条件に基づいて前記開始画像を決定する開始画像決定手段と、
前記開始画像決定手段により決定された画像から前記スライドショーを実行する制御手段とを有し、
前記第２指示手段は、前記表示部に前記メニュー画面を表示させた後に、スライドショーメニューを選択することに応じて前記スライドショーの開始を指示する手段であって、
前記第１指示手段は、再生表示中に、前記メニュー画面を表示させること無く、画像再生装置上の前記ショートカットキーの操作を行うことに応じて前記スライドショーの開始を指示する手段であり、
前記開始画像決定手段は、前記第１指示手段による指示が行われた場合に、指示が行われた時に表示されている画像が前記記録媒体に記録されている画像のうちの最も新しい画像の場合は、前記記録された画像の内、最も新しい画像と同じ日に撮影された最も古い画像を前記開始画像とし、指示が行われた時に表示されている画像が前記記録媒体に記録されている画像のうちの最も新しい画像ではない場合は、指示が行われた時に表示されている画像を前記開始画像として決定することを特徴とする画像再生装置。
【請求項２】
前記開始画像決定手段は、前記第２指示手段による指示が行われた場合に、前記記録媒体に記録されている画像の内、最も古い画像を前記開始画像に決定することを特徴とする請求項１に記載の画像再生装置。
【請求項３】
被写体を撮影して、電気的な画像データを記録する撮像手段と、
請求項１または２に記載の画像再生装置と
を有することを特徴とする撮像装置。
【請求項４】
電気的な画像データとして記録媒体に記録された画像を表示部に再生表示する画像再生装置の制御方法であって、
表示手段が、前記記録媒体に記録された画像を前記表示部に再生表示する表示工程と、
第１指示手段が、前記表示工程における再生表示中に、予め決められたショートカットキーの操作に応じて、前記記録媒体に記録された画像を所定順に自動的に切り替えながら表示するスライドショーの開始を指示する第１の指示工程と、
第２指示手段が、前記表示工程における再生表示中に、メニュー画面を表示し、該メニュー画面からの前記スライドショーの開始の指示操作に応じて、前記スライドショーの開始を指示する第２の指示工程と、
判定手段が、前記第１の指示工程と前記第２の指示工程のいずれの工程で前記スライドショーの開始が指示されたかを判定する判定工程と、
決定手段が、前記第１の指示工程で指示された場合には、前記再生表示中の画像に応じて前記スライドショーを開始する開始画像を決定し、前記第２の指示工程で指示された場合には、前記再生表示中の画像に関係しない予め決められた条件に基づいて前記開始画像を決定する開始画像決定工程と、
前記表示手段が、前記開始画像決定工程で決定された画像から前記順次表示を実行する順次表示工程とを有し、
前記第２の指示工程では、前記表示部に前記メニュー画面を表示させた後に、スライドショーメニューを選択することに応じて前記スライドショーの開始を指示し、
前記第１の指示工程では、再生表示中に、前記メニュー画面を表示させること無く、画像再生装置上の前記ショートカットキーの操作を行うことに応じて前記スライドショーの開始を指示し、
前記開始画像決定工程では、前記第１指示工程で指示が行われた場合に、指示が行われた時に表示されている画像が前記記録媒体に記録されている画像のうちの最も新しい画像の場合は、前記記録された画像の内、最も新しい画像と同じ日に撮影された最も古い画像を前記開始画像とし、指示が行われた時に表示されている画像が前記記録媒体に記録されている画像のうちの最も新しい画像ではない場合は、指示が行われた時に表示されている画像を前記開始画像として決定することを特徴とする制御方法。
【請求項５】
情報処理装置に、請求項４に記載の制御方法の各工程を実行させるためのプログラム。
【請求項６】
情報処理装置が実行可能なプログラムであって、前記プログラムを実行した情報処理装置を、請求項１または２に記載の画像再生装置として機能させることを特徴とするプログラム。
【請求項７】
請求項５または６に記載のプログラムを格納したことを特徴とする情報処理装置が読み取り可能な記憶媒体。
【発明の詳細な説明】
【技術分野】
【０００１】
本発明は、画像再生装置、撮像装置及び制御方法に関し、特に、自動で複数の画像を所定時間ずつ所定順で表示する場合の画像再生制御に関する。
【背景技術】
【０００２】
従来、固体メモリ素子を有するメモリカードを記録媒体として、静止画像や動画像を記録再生する電子カメラ等の画像処理装置は既に市販されている。また、スライドショーと呼ばれる、自動で複数の画像を所定時間ずつ所定順で表示する順次表示を行うデジタルカメラも市販されている（例えば、非特許文献１参照）。
【０００３】
【非特許文献１】「キヤノンデジタルカメラ IXY DIGITAL600 カメラユーザーガイド」、キヤノン株式会社、P121
【発明の開示】
【発明が解決しようとする課題】
【０００４】
このような従来のデジタルカメラ等の画像処理装置においては、スライドショーを行う場合、記録された画像の内、先頭の画像から順に表示が行われる。しかしながら、近年、メモリカードなどの記録媒体の容量が大きくなり、数千枚の画像が記録されている場合があり、先頭の画像から順番にスライドショーを行うと、最近撮影した画像が表示されるまでに時間が掛かるという問題があった。
【０００５】
また、従来のデジタルカメラ等の画像処理装置においては、スライドショーを表示中の画像から行うものがある。しかしながら、デジタルカメラでは再生モードで起動したときに、最も最近撮影した画像を表示するのが一般的であるため、起動直後にスライドショーを行うと、一番始めに最も新しい画像を表示した後に、最も古い画像から順番に表示することになる。そのため、先頭の画像からスライドショーを行う画像処理装置と同様に、最近撮影した画像が表示されるまでに時間が掛かるという問題があった。
【０００６】
本発明は上記問題点を鑑みてなされたものであり、自動的に複数の画像を所定時間ずつ順次表示する際の利便性を向上させることを目的とする。
【課題を解決するための手段】
【０００７】
上記目的を達成するために、電気的な画像データとして記録媒体に記録された画像を表示部に再生表示する本発明の画像再生装置は、前記記録媒体に記録された画像を前記表示部に再生表示中に、予め決められたショートカットキーにより、前記記録媒体に記録された画像を所定順に自動的に切替えながら表示するスライドショーの開始を指示する第１指示手段と、前記記録媒体に記録された画像を前記表示部に再生表示中に、メニュー画面を表示させ、該メニュー画面から前記スライドショーの開始を指示する第２指示手段と、前記第１指示手段により指示された場合には、前記再生表示中の画像に応じて前記スライドショーを開始する開始画像を決定し、前記第２指示手段により指示された場合には、前記再生表示中の画像に関係しない予め決められた条件に基づいて前記開始画像を決定する開始画像決定手段と、前記開始画像決定手段により決定された画像から前記スライドショーを実行する制御手段とを有し、前記第２指示手段は、前記表示部に前記メニュー画面を表示させた後に、スライドショーメニューを選択することに応じて前記スライドショーの開始を指示する手段であって、前記第１指示手段は、再生表示中に、前記メニュー画面を表示させること無く、画像再生装置上の前記ショートカットキーの操作を行うことに応じて前記スライドショーの開始を指示する手段であり、前記開始画像決定手段は、前記第１指示手段による指示が行われた場合に、指示が行われた時に表示されている画像が前記記録媒体に記録されている画像のうちの最も新しい画像の場合は、前記記録された画像の内、最も新しい画像と同じ日に撮影された最も古い画像を前記開始画像とし、指示が行われた時に表示されている画像が前記記録媒体に記録されている画像のうちの最も新しい画像ではない場合は、指示が行われた時に表示されている画像を前記開始画像として決定する。
【０００８】
また、本発明の撮像装置は、被写体を撮影して、電気的な画像データを記録する撮像手段と、上記画像再生装置とを有する。
【０００９】
また、電気的な画像データとして記録媒体に記録された画像を表示部に再生表示する画像再生装置の本発明の制御方法は、表示手段が、前記記録媒体に記録された画像を前記表示部に再生表示する表示工程と、第１指示手段が、前記表示工程における再生表示中に、予め決められたショートカットキーの操作に応じて、前記記録媒体に記録された画像を所定順に自動的に切り替えながら表示するスライドショーの開始を指示する第１の指示工程と、第２指示手段が、前記表示工程における再生表示中に、メニュー画面を表示し、該メニュー画面からの前記スライドショーの開始の指示操作に応じて、前記スライドショーの開始を指示する第２の指示工程と、判定手段が、前記第１の指示工程と前記第２の指示工程のいずれの工程で前記スライドショーの開始が指示されたかを判定する判定工程と、決定手段が、前記第１の指示工程で指示された場合には、前記再生表示中の画像に応じて前記スライドショーを開始する開始画像を決定し、前記第２の指示工程で指示された場合には、前記再生表示中の画像に関係しない予め決められた条件に基づいて前記開始画像を決定する開始画像決定工程と、前記表示手段が、前記開始画像決定工程で決定された画像から前記順次表示を実行する順次表示工程とを有し、前記第２の指示工程では、前記表示部に前記メニュー画面を表示させた後に、スライドショーメニューを選択することに応じて前記スライドショーの開始を指示し、前記第１の指示工程では、再生表示中に、前記メニュー画面を表示させること無く、画像再生装置上の前記ショートカットキーの操作を行うことに応じて前記スライドショーの開始を指示し、前記開始画像決定工程では、前記第１指示工程で指示が行われた場合に、指示が行われた時に表示されている画像が前記記録媒体に記録されている画像のうちの最も新しい画像の場合は、前記記録された画像の内、最も新しい画像と同じ日に撮影された最も古い画像を前記開始画像とし、指示が行われた時に表示されている画像が前記記録媒体に記録されている画像のうちの最も新しい画像ではない場合は、指示が行われた時に表示されている画像を前記開始画像として決定する。
【発明の効果】
【００１０】
本発明によれば、複数の画像を所定時間ずつ順次表示する際の利便性を向上することができる。
【発明を実施するための最良の形態】
【００１１】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【００１２】
図１は、本発明の実施の形態における画像処理機能を有する画像処理装置の構成を示すブロック図である。
【００１３】
図１において、１００は画像処理装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１４】
１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００１５】
２０は画像処理回路であり、Ａ／Ｄ変換器１６からのデータ或いはメモリ制御回路２２からのデータに対して所定の画素補間処理や色変換処理を行う。また、画像処理回路２０は、Ａ／Ｄ変換器１６から出力される画像データを用いて所定の演算処理を行う。そして、得られた演算結果に基づいてシステム制御回路５０が露光制御部４０、測距制御部４２に対して、ＴＴＬ（スルー・ザ・レンズ）方式のオートフォーカス（ＡＦ）処理、自動露出（ＡＥ）処理、フラッシュプリ発光（ＥＦ）処理を行っている。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００１６】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００１７】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて、撮像した画像データを逐次表示することで、電子ビューファインダー（ＥＶＦ）機能を実現することができる。また、画像表示部２８は、システム制御回路５０の指示により任意に表示をＯＮ／ＯＦＦすることが可能であり、表示をＯＦＦにした場合には画像処理装置１００の電力消費を大幅に低減することができる。
【００１８】
３０は撮影した静止画像や動画像を格納するためのメモリであり、所定枚数の静止画像や所定時間の動画像を格納するのに十分な記憶容量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００１９】
３２は適応離散コサイン変換（ＡＤＣＴ）等、公知の圧縮方法を用いて画像データを圧縮・伸長する圧縮・伸長回路である。圧縮・伸長回路３２は、メモリ３０に格納された画像を読み込んで圧縮処理或いは伸長処理を行い、処理を終えたデータを再びメモリ３０に書き込む。
【００２０】
４０は露光制御部であり、絞り機能を備えるシャッター１２を制御する。露光制御部４０は、フラッシュ４８と連携することによりフラッシュ調光機能も有する。４２は撮影レンズ１０のフォーカシングを制御する測距制御部、４４は撮影レンズ１０のズーミングを制御するズーム制御部、４６はバリア１０２の動作を制御するバリア制御部である。４８はフラッシュであり、ＡＦ補助光の投光機能、フラッシュ調光機能も有する。露光制御部４０及び測距制御部４２はＴＴＬ方式を用いて制御されている。上述の通り、Ａ／Ｄ変換器１６からの画像データを画像処理回路２０によって演算した演算結果に基づき、システム制御回路５０が露光制御部４０及び測距制御部４２を制御する。
【００２１】
５０は画像処理装置１００全体を制御するシステム制御回路、５２はシステム制御回路５０の動作用の定数、変数、プログラム等を記憶するメモリである。
【００２２】
５４はシステム制御回路５０でのプログラムの実行に応じて、文字、画像、音声などを用いて動作状態やメッセージなどを外部に通知するための通知部である。通知部５４としては、例えばＬＣＤやＬＥＤなどによる視覚的な表示を行う表示部や音声による通知を行う発音素子などが用いられるが、これらのうち１つ以上の組み合わせにより構成される。特に、表示部の場合には、画像処理装置１００の操作部７０近辺の、視認しやすい、単数あるいは複数箇所に設置されている。また、通知部５４は、その一部の機能が光学ファインダー１０４内に設置されている。
【００２３】
通知部５４の表示内容の内、ＬＣＤなどに表示するものとしては以下のものがある。まず、シングルショット／連写撮影表示、セルフタイマー表示等、撮影モードに関する表示がある。また、圧縮率表示、記録画素数表示、記録枚数表示、残撮影可能枚数表示等の記録に関する表示がある。また、シャッタースピード表示、絞り値表示、露出補正表示、フラッシュ表示、赤目緩和表示等の撮影条件に関する表示がある。その他に、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示なども行われる。
【００２４】
また、通知部５４の表示内容の内、光学ファインダー１０４内に表示するものとしては、合焦表示、手ぶれ警告表示、フラッシュ充電表示、シャッタースピード表示、絞り値表示、露出補正表示などがある。
【００２５】
５６は電気的に消去・記録可能な不揮発性メモリであり、例えばＥＥＰＲＯＭ等が用いられる。
【００２６】
６０、６１、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００２７】
ここで、これらの操作手段の具体的な説明を行う。
【００２８】
６０は電源ＯＮ／ＯＦＦスイッチで、画像処理装置１００の起動・終了を行う。
【００２９】
６１はモードダイアルスイッチで、撮影モード、再生モードなどの各機能モードを切り替え設定することができる。
【００３０】
６２はシャッタースイッチＳＷ１で、不図示のシャッターボタンの第１ストローク（例えば半押し）によりＯＮとなり、ＡＦ処理、ＡＥ処理、ＡＷＢ処理、ＥＦ処理等の動作開始を指示する。
【００３１】
６４はシャッタースイッチＳＷ２で、不図示のシャッターボタンの第２ストローク（例えば全押し）によりＯＮとなり、露光処理、現像処理、及び記録処理からなる一連の処理の動作開始を指示する。まず、露光処理では、撮像素子１４から読み出した信号をＡ／Ｄ変換器１６、メモリ制御回路２２を介して画像データをメモリ３０に書き込み、更に、画像処理回路２０やメモリ制御回路２２での演算を用いた現像処理が行われる。更に、メモリ３０から画像データを読み出し、圧縮・伸張回路３２で圧縮を行い、記録媒体２００あるいは２１０に画像データを書き込む記録処理が行われる。
【００３２】
６６は画像表示ＯＮ／ＯＦＦスイッチで、画像表示部２８のＯＮ／ＯＦＦを設定することができる。この機能により、光学ファインダー１０４を用いて撮影を行う際に、ＴＦＴ  ＬＣＤ等から成る画像表示部２８への電流供給を遮断することにより、省電力を図ることが可能となる。
【００３３】
６８はクイックレビューＯＮ／ＯＦＦスイッチで、撮影直後に撮影した画像データを自動再生するクイックレビュー機能を設定する。なお、本実施の形態では、特に、画像表示部２８をＯＦＦとした場合におけるクイックレビュー機能の設定をする機能を備えるものとする。
【００３４】
７０は各種ボタンやタッチパネルなどから成る操作部である。一例として、メニューボタン、セットボタン、マクロボタン、マルチ画面再生改ページボタン、フラッシュ設定ボタン、単写／連写／セルフタイマー切り換えボタンがある。更に、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付／時間設定ボタンなども含む。これらのボタンは、後述する図２に示すような上下左右ボタンにより構成することができる。他に、消去ボタン、イージーダイレクトボタン、縮小ボタン、拡大ボタン等がある。
【００３５】
７１はマイクで、音声を電気情報に変換する。７２はマイク７１からのアナログ信号をデジタル信号に変換するＡ／Ｄ変換器である。
【００３６】
８０は電源制御部で、電池検出回路、ＤＣ−ＤＣコンバータ、通電するブロックを切り替えるスイッチ回路等により構成されている。電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３７】
８２、８４はコネクタ、８６はアルカリ電池やリチウム電池等の一次電池やＮｉＣｄ電池やＮｉＭＨ電池、Ｌｉ−ｉｏｎ電池等の二次電池、ＡＣアダプター等からなる電源部である。
【００３８】
９０はメモリカードやハードディスク等の記録媒体とのインタフェース、９２はメモリカードやハードディスク等の記録媒体と接続を行うコネクタである。９８はコネクタ９２に記録媒体２００が装着されているか否かを検知する記録媒体着脱検知回路である。
【００３９】
なお、本実施の形態では記録媒体を取り付けるインタフェース及びコネクタを１系統持つものとして説明している。もちろん、記録媒体を取り付けるインタフェース及びコネクタは、複数系統数を備える構成としても構わない。また、異なる規格のインタフェース及びコネクタを組み合わせて備える構成としても構わない。
【００４０】
インタフェース及びコネクタとしては、ＰＣＭＣＩＡ（Personal Computer Memory Card International Association）カードやＣＦ（コンパクトフラッシュ（登録商標））カード等の規格に準拠したものを用いて構成することが可能である。インタフェース９０、そしてコネクタ９２をＰＣＭＣＩＡカードやＣＦ（登録商標）カード等の規格に準拠したものを用いて構成した場合、各種通信カードを接続することができる。通信カードとしては、ＬＡＮカードやモデムカード、ＵＳＢ（Universal Serial Bus）カード、ＩＥＥＥ（Institute of Electrical and Electronic Engineers）１３９４カードがある。他にも、Ｐ１２８４カード、ＳＣＳＩ（Small Computer System Interface）カード、ＰＨＳ等がある。これら各種通信カードを接続することにより、他のコンピュータやプリンタ等の周辺機器との間で画像データや画像データに付属した管理情報を転送し合うことができる。
【００４１】
１０２は、画像処理装置１００のレンズ１０を含む撮像部を覆う事により、撮像部の汚れや破損を防止する保護装置であるバリアである。
【００４２】
１０４は光学ファインダであり、画像表示部２８による電子ファインダー機能を使用すること無しに、光学ファインダーのみを用いて撮影を行うことが可能である。また、光学ファインダー１０４内には、通知部５４の一部の機能、例えば、合焦状態、手振れ警告、フラッシュ充電、シャッタースピード、絞り値、露出補正などが表示される。
【００４３】
１１０は通信回路で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００４４】
１１２は通信手段１１０により画像処理装置１００を他の機器と接続するコネクタ或いは無線通信の場合はアンテナである。
【００４５】
２００はメモリカードやハードディスク等の記録媒体である。この記録媒体２００は、半導体メモリや磁気ディスク等から構成される記録部２０２、画像処理装置１００とのインタフェース２０４、画像処理装置１００と接続を行うコネクタ２０６を備えている。
【００４６】
記録媒体２００としては、ＰＣＭＣＩＡカードやコンパクトフラッシュ（登録商標）等のメモリカード、ハードディスク等を用いることができる。また、マイクロＤＡＴ、光磁気ディスク、ＣＤ−ＲやＣＤ−ＷＲ等の光ディスク、ＤＶＤ等の相変化型光ディスク等で構成されていても勿論構わない。
【００４７】
図２は、本発明による画像処理装置１００の背面の一例を示す図である。
【００４８】
図２において、３０１〜３０６、３０７〜３１２は図１の操作手段に相当する。３０１はメニューボタンで、画像表示部２８にメニューの表示・非表示を行うことができる。メニューにより、記録媒体２００に記録している画像を１コマ単位で自動的に画像表示部２８に順次表示させるスライドショーを行うことができる。３０２はセットボタンで、メニューで選択した項目の決定を行うことができる。
【００４９】
３０３は情報表示ＯＮ／ＯＦＦボタンで、再生画像の情報表示のＯＮ／ＯＦＦを切り替えることができる。表示する情報としては、例えば、ファイル番号、画像番号、撮影日時などがある。撮影時には、画像表示部２８の表示をＯＮ／ＯＦＦする画像表示ＯＮ／ＯＦＦスイッチ６６として使用する。
【００５０】
３０４は消去ボタンで、記録した画像の消去を行うことができる。３０５はイージーダイレクトボタンで、プリンタやパソコンなどの装置に、記録媒体２００に記録している画像や音声データを転送する際に使用する。また、セットボタン３０２とイージーダイレクトボタン３０５を同時に押下することによって、スライドショーのショートカットボタンとして使用することも可能である。
【００５１】
３０７は縮小ボタンで、再生表示している画像が拡大表示されているときは、縮小表示を行うことができる。撮影時には、ズームレンズを広角側に移動する操作部材として用いられる。３０８は拡大ボタンで、再生表示している画像を拡大表示することができる。撮影時には、ズームレンズを望遠側に移動する操作部材として用いられる。
【００５２】
３０９は左ボタン、３１０は右ボタン、３１１は上ボタン、３１２は下ボタンであり、これらのボタンを操作することでメニュー表示時などに選択項目を変更することができる。また、左ボタン３０９、右ボタン３１０により再生画像のコマ送り操作を行うことができる。
【００５３】
図３は記録媒体２００に記録されている画像データのディレクトリ構造の一例であり、社団法人・日本電子工業振興協会により定められているＤＣＦ（Design rule for Camera File system）規格に従っている。ルートの下にＤＣＩＭディレクトリがあり、さらにその下にxxxGAZOU（例えば100GAZOU）ディレクトリがある。xxxGAZOUの下に、画像ファイルIMG_xxxx.JPGがある。ディレクトリxxxGAZOUのxxxをディレクトリ番号と呼び、100〜999までを取り得る。画像ファイルIMG_xxxx.JPGのxxxxをファイル番号と呼び、0001〜9999までを取り得る。ディレクトリ番号が大きいほど最近作成した画像であると同時に、ファイル番号が大きいほど最近作成した画像である。
【００５４】
図３の例では、100GAZOUの下のIMG_0001.JPGが最も古い画像であり、101GAZOUの下のIMG_2003.JPGが最も新しい画像である。100GAZOUの下のIMG_0001.JPGは画像番号１、100GAZOUの下のIMG_0002.JPGは画像番号２、101GAZOUの下のIMG_2003.JPGは画像番号１３、というように順に画像番号を割り当てている。画像番号は、ディレクトリ番号が大きな画像ほど、またファイル番号の大きな画像ほど大きな番号が割り当てられる。
【００５５】
図３の例では、2005/06/01に100GAZOUの下のIMG_0001.JPG〜IMG_0003.JPGの３つのファイルを撮影し、2005/06/11に100GAZOUの下のIMG_0004.JPG〜IMG_0006.JPGの３つのファイルを撮影したものとする。更に、2005/06/16に100GAZOUの下のIMG_1997.JPG〜IMG_1999.JPGと101GAZOUの下のIMG_2001.JPG〜IMG_2003.JPGの７つのファイルを撮影したものとする。
【００５６】
図４、図５は本実施の形態における画像処理装置１００で行われる再生処理を示すフローチャートである。まず、図４を参照にして、実施の形態における主ルーチンの処理について説明する。
【００５７】
システム制御回路５０は、最初にフラグや制御変数の初期化を行い（ステップＳ１０１）、記録媒体２００に記録されている画像を検索し、最も大きな画像番号を持つ画像ファイルを検索する（ステップＳ１０２）。記録媒体２００に記録されている画像のディレクトリ構造が、例えば図３に示す構造であったならば、101GAZOUの下のIMG_2003.JPGが取得される。つぎに、システム制御回路５０は、ステップＳ１０２で取得した、最も大きな画像番号を持つ画像ファイルを画像表示部２８に表示する（ステップＳ１０３）。
【００５８】
システム制御回路５０は、ボタン操作があったかどうかを判定し（ステップＳ１０４）、ボタン操作が無かった場合はステップＳ１０４に戻る。ボタン操作があった場合は、スライドショー処理を指示するボタン操作かどうかを判定し（ステップＳ１０５）、押下されていた場合はスライドショー処理を行う（ステップＳ１０６）。上述したように、スライドショーとは、自動で複数の画像を所定時間ずつ所定順で表示する処理のことである。スライドショー自体の処理は広く知られているため、ここでは特に詳しい説明は行わない。なお、ステップＳ１０６で行われるスライドショー処理の詳細な処理フローに関しては、図５を用いて後述する。
【００５９】
システム制御回路５０は、スライドショー処理を指示するボタン操作でなければ（ステップＳ１０５でＮＯ）、ボタン操作が再生モードを抜ける処理かどうかを判定する（ステップＳ１０７）。再生モードを抜ける処理であったならば、再生モードの終了処理を行って（ステップＳ１０９）、再生処理を終了する。再生モードを抜ける処理としては、電源ＯＮ／ＯＦＦボタン６０が押されて、画像処理装置１００の処理を終了するとき、モードダイアル６１が撮影モードに変えられたときなどがある。
【００６０】
システム制御回路５０は、再生モードを抜けるボタンが押下されていなかった場合は（ステップＳ１０７でＮＯ）、ボタン操作に応じた処理を行う（ステップＳ１０８）。ボタン操作に応じた処理の例としては、コマ送り、画像の拡大、マルチ画面表示、メニュー表示などがある。ステップＳ１０８でボタン操作に応じた処理を行った後は、ステップＳ１０４に戻る。
【００６１】
図５はステップＳ１０６で行われるスライドショー処理の詳細な処理を示すフローチャートである。
【００６２】
まず、システム制御回路５０は、スライドショー処理の指示が、画像表示部２８に表示された図６のようなメニューから上下ボタン３１１、３１２及びセットボタン３０２を用いて選択されたか（以下、「メニュー選択」と呼ぶ。）、または、セットボタン３０２とイージーダイレクトボタン３０５との両方のボタンを押下することにより選択されたか（以下、「ショートカット選択」と呼ぶ。）を判定する（ステップＳ２０１）。
【００６３】
ショートカット選択の場合、システム制御回路５０は、最新画像を表示中かどうかを判定する（ステップＳ２０２）。ここで言う最新画像とは、記録媒体２００に記録されている画像のうち、最も大きな画像番号を持つ画像ファイルのことである。上述したように、例えば、記録媒体２００に記録されている画像のディレクトリ構造が図３に示す構造であったならば、最も大きな画像番号をもつ画像ファイルは101GAZOUの下のIMG_2003.JPGである。
【００６４】
システム制御回路５０は、最新画像を表示中であった場合は（ステップＳ２０２でＹＥＳ）、最新画像と同じ日付情報を有する画像ファイルのうち、最も小さな画像番号を持つ画像ファイルを検索する（ステップＳ２０３）。記録媒体２００に記録されている画像のディレクトリ構造が図３に示す構造であれば、ステップＳ２０３での検索結果は、100GAZOUの下のIMG_1997.JPGとなる。次に、システム制御回路５０は、ステップＳ２０３で検索した画像ファイルからスライドショーを開始し（ステップＳ２０４）、全画像のスライドショーを行って（ステップＳ２０７）、処理を終了する。
【００６５】
例えば、記録媒体２００に記録されている画像のディレクトリ構造が図３であり、画像表示部２８に101GAZOUの下のIMG_2003.JPGが表示されているものとする。このときに、ショートカット選択されたならば、画像番号７の100GAZOUの下のIMG_1997.JPGからスライドショーを開始し、画像番号７→８→９→１０→１１→１２→１３→１…の順にスライドショーを行い、最後に画像番号６の画像を表示してスライドショーを終了する。
【００６６】
一方、ステップＳ２０２で最新画像を表示中では無いと判定した場合は、システム制御回路５０は現在表示中の画像からスライドショーを開始し（ステップＳ２０５）、全画像のスライドショーを行って（ステップＳ２０７）処理を終了する。
【００６７】
例えば、記録媒体２００に記録されている画像のディレクトリ構造が図３に示す構造であり、画像表示部２８に100GAZOUの下のIMG_2000.JPGが表示されているものとする。このときに、ショートカット選択されたならば、画像番号１０の100GAZOUの下のIMG_2000.JPGからスライドショーを開始し、画像番号１０→１１→１２→１３→１…の順にスライドショーを行い、最後に画像番号９の画像を表示してスライドショーを終了する。
【００６８】
また、ステップＳ２０１でメニュー選択であると判定すると、システム制御回路５０は、全画像の内、最も小さな画像番号を持つ画像からスライドショーを開始し（ステップＳ２０６）、全画像のスライドショーを行って（ステップＳ２０７）、処理を終了する。
【００６９】
例えば、記録媒体２００に記録されている画像のディレクトリ構造が図３であったときに、メニュー選択によりスライドショー処理が指示されたものとする。この場合、画像番号１の100GAZOUの下のIMG_0001.JPGからスライドショーを開始し、画像番号１→２→３→４…の順にスライドショーを行い、最後に画像番号１３の画像を表示してスライドショーを終了する。
【００７０】
上記の通り本実施の形態によれば、スライドショーをメニュー選択とショートカット選択の２通りの方法でスライドショー処理の開始を指示することができ、指示の方法に応じてスライドショーを開始する画像が変更する。従って、目的に応じてユーザーが指示の方法を選択することで、容易にスライドショーを開始する画像を選択することができる。
【００７１】
また、スライドショーのショートカットキーを設けることによって、メニュー操作を行うことなく簡単な操作スライドショーを開始することができる。
【００７２】
なお、本実施の形態では、スライドショー処理を開始する指示の方法が２通りである場合について説明したが、本発明はこれに限るものではなく、複数の方法により指示できるようにしてもよい。また、指示の方法として、図６に示すメニューから選択するメニュー選択と、セットボタン３０２とイージーダイレクトボタン３０５との両方のボタン押下によるショートカット選択の場合を説明したが、本発明はこれに限るものではない。例えば、専用のボタンを設けるなど、他の方法や操作部材を用いても構わない。
【００７３】
＜変形例＞
上記例では、図５のステップＳ２０３で、最新画像と同じ日付の画像のうち最も小さな画像番号を持つ画像を検索していたが、例えば、最新画像と同じディレクトリ内にある画像のうち最も小さな画像番号を持つ画像を検索するようにしても良い。
【００７４】
例えば、記録媒体２００に記録されている画像のディレクトリ構造が図３であり、画像表示部２８に101GAZOUの下のIMG_2003.JPGが表示されているときに、セットボタン３０２とイージーダイレクトボタン３０５との両方のボタンが押下されたものとする。この場合、画像番号１１の101GAZOUの下のIMG_2001.JPGからスライドショーを開始し、画像番号１１→１２→１３→１→２…の順にスライドショーを行い、最後に画像番号１０の画像を表示してスライドショーを終了するように構成しても良い。
【００７５】
上記の他に、最新画像を撮影した日付の所定日数前に撮影した画像からスライドショーを開始したり、所定数の最新ディレクトリに含まれる画像のうち、最も小さな画像番号を持つ画像からスライドショーを開始するようにしてもよい。また、最新画像から所定数、画像番号が小さい画像からスライドショーを開始するなど、適宜設定しておくことが可能である。
【００７６】
さらには、例えば、スライドショーを開始する画像を決定する条件を、ユーザーが設定できるようにしてもよい。その場合、例えば図７に示すように、画像表示部２８に「１日」「２日」「３日」などの選択肢を表示し、上下ボタン３１１、３１２及びセットボタン３０２を用いて選択された日数を記憶しておく。そして、最新画像を撮影した日付とこの選択された日数とに基づいて、ショートカット選択された場合の開始画像を決定する。なお、選択肢からの選択ではなく、数を上下ボタン３１１、３１２等により直接指示できるように構成することも勿論可能である。
【００７７】
このように構成することで、スライドショー時の利便性をより向上することができる。
【００７８】
＜他の実施形態＞
なお、上記実施の形態では、電子カメラなどの画像処理装置で画像の再生を行う場合について説明したが、本発明はこれに限るものではなく、記録された画像データを読み出して再生することのできる装置であれば、本発明を適用することが可能である。
【００７９】
また、本発明の目的は、以下の様にして達成することも可能である。まず、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。
【００８０】
また、コンピュータが読み出したプログラムコードを実行することにより、前述した実施形態の機能が実現されるだけでなく、以下のようにして達成することも可能である。即ち、読み出したプログラムコードの指示に基づき、コンピュータ上で稼働しているオペレーティングシステム（ＯＳ）などが実際の処理の一部または全部を行い、その処理によって前述した実施形態の機能が実現される場合である。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【００８１】
さらに、以下のようにして達成することも可能である。即ち、記憶媒体から読み出されたプログラムコードを、コンピュータに挿入された機能拡張カードやコンピュータに接続された機能拡張ユニットに備わるメモリに書込む。その後、そのプログラムコードの指示に基づき、その機能拡張カードや機能拡張ユニットに備わるＣＰＵなどが実際の処理の一部または全部を行い、その処理によって前述した実施形態の機能を実現する。
【図面の簡単な説明】
【００８２】
【図１】本発明の実施の形態における画像処理装置の構成を示すブロック図である。
【図２】本発明の実施の形態における画像処理装置の背面図である。
【図３】本発明の実施の形態における画像データのディレクトリ構成の一例である。
【図４】本発明の実施の形態における再生処理の主ルーチンのフローチャートである。
【図５】本発明の実施の形態におけるスライドショー処理のフローチャートである。
【図６】本発明の実施の形態におけるメニュー表示の一例を示す図である。
【図７】本発明の実施の形態の変形例における条件を選択するための画面の一例を示す図である。
【符号の説明】
【００８３】
１０：撮影レンズ、１２：シャッター、１４：撮像素子、１６：Ａ／Ｄ変換器、１８：タイミング発生回路、２０：画像処理回路、２２：メモリ制御回路、２４：画像表示メモリ、２６：Ｄ／Ａ変換器、２８：画像表示部、３０：メモリ、３２：圧縮伸長回路、４０：露光制御部、４２：測距制御部、４４：ズーム制御部、４６：バリア制御部、４８：フラッシュ、５０：システム制御部、５２：メモリ、５４：通知部、５６：不揮発性メモリ、６０：電源ＯＮ／ＯＦＦスイッチ、６１：モードダイアルスイッチ、６２：シャッタースイッチＳＷ１、６４：シャッタースイッチＳＷ２、６６：画像表示ＯＮ／ＯＦＦスイッチ、６８：クイックレビューＯＮ／ＯＦＦスイッチ、７０：操作部、７１：マイク、７２：Ａ／Ｄ変換器、８０：電源制御部、８２、８４：コネクタ、８６：電源、９０：入出力Ｉ／Ｆ、９２：コネクタ、１００：画像処理装置、１１０：通信回路、１１２：コネクタ（アンテナ）、２００：記録媒体、２０２：記録部、２０４：インタフェース、２０６：コネクタ
【図１】
0004646723.tif 000002
【図２】
0004646723.tif 000003
【図３】
0004646723.tif 000004
【図４】
0004646723.tif 000005
【図５】
0004646723.tif 000006
【図６】
0004646723.tif 000007
【図７】
0004646723.tif 000008